(57)【要約】【構成】イメージセンサ１６は、被写界を捉える撮像面で生成された被写界像を出力する。後処理回路２６は、記録操作に応答してイメージセンサ１６から出力された被写界像に光軸回り方向における回転処理を施す。Ｉ／Ｆ３８は、後処理回路２６によって回転された被写界像を記録媒体４０に記録する。ＣＰＵ３２は、光軸回り方向における撮像面の回転を記録操作に応答して判別する。ＣＰＵ３２はまた、後処理回路２６の回転角度を判別結果に応じて異なる角度に調整する。【効果】記録画像の視認性を向上させることができる。【選択図】図２
2011188225.tif 000002
【特許請求の範囲】
【請求項１】
被写界を捉える撮像面で生成された被写界像を出力する撮像手段、
記録操作に応答して前記撮像手段から出力された被写界像に光軸回り方向における回転処理を施す回転手段、
前記回転手段によって回転された被写界像を記録媒体に記録する記録手段、
前記光軸回り方向における前記撮像面の回転を前記記録操作に応答して判別する判別手段、および
前記回転手段の回転角度を前記判別手段の判別結果に応じて異なる角度に調整する調整手段を備える、電子カメラ。
【請求項２】
前記撮像手段は前記被写界像を繰り返し出力し、
前記記録手段は前記被写界像を繰り返し記録し、
前記調整手段は前記記録手段が記録処理を実行する期間において共通の角度を維持する、請求項１記載の電子カメラ。
【請求項３】
前記回転手段は、前記撮像手段から出力された被写界像のうち切り出しエリアに属する一部の被写界像を切り出す切り出し手段、および前記切り出し手段によって切り出された被写界像を回転させる切り出し画像回転手段を含む、請求項２記載の電子カメラ。
【請求項４】
光軸直交方向における前記撮像面の動きを検出する検出手段、および
前記検出手段によって検出された動きが補償される方向に前記切り出しエリアを移動させる移動手段をさらに備える、請求項３記載の電子カメラ。
【請求項５】
前記光軸回り方向における複数の回転角度にそれぞれ対応する複数の撮像モードのいずれか１つを選択する選択操作を受け付ける受付手段をさらに備え、
前記判別手段は前記選択操作によって選択された撮像モードを参照して判別処理を実行する、請求項１ないし４のいずれかに記載の電子カメラ。
【請求項６】
前記複数の撮像モードは右利きの撮影者向けの第１撮像モードと左利きの撮影者向けの第２撮像モードを含み、
前記調整手段は１８０°毎の角度調整を実行する、請求項５記載の電子カメラ。
【請求項７】
前記調整手段によって調整される角度は前記光軸回り方向における前記撮像面の回転角度に相当する、請求項１ないし６のいずれかに記載の電子カメラ。
【請求項８】
前記撮像手段から出力された被写界像を前記光軸回り方向における前記撮像面の回転に関わらず共通の態様で再現する再現手段をさらに備える、請求項１ないし７のいずれかに記載の電子カメラ。
【発明の詳細な説明】
【技術分野】
【０００１】
この発明は、電子カメラに関し、特に開閉式のモニタ部を側面に備える、電子カメラに関する。
【背景技術】
【０００２】
この種の装置の一例が、特許文献１に開示されている。この背景技術によれば、手振れ検出センサ又は映像信号から得た動きベクトルを用いて撮像装置の動きが検出され、その動き検出結果に基づいて、切り出し枠Ｂｎ（有効撮影領域）を撮影可能最大領域内で移動させることにより手振れ補正が行われる。
【先行技術文献】
【特許文献】
【０００３】
【特許文献１】特開２００８−１２４７８７号公報
【発明の概要】
【発明が解決しようとする課題】
【０００４】
しかし、背景技術では、手振れであると認識されない態様で撮像装置が傾けられて撮影が行われた場合、記録された画像が撮影者の視点に基づかないものとなってしまい、これによって画像の視認性が低下するおそれがある。
【０００５】
それゆえに、この発明の主たる目的は、撮影時における撮像装置の傾きに起因する記録画像の視認性の低下を抑制することができる、電子カメラを提供することである。
【課題を解決するための手段】
【０００６】
この発明に従う電子カメラ(10：実施例で相当する参照符号。以下同じ)は、被写界を捉える撮像面で生成された被写界像を出力する撮像手段(16)、記録操作に応答して撮像手段から出力された被写界像に光軸回り方向における回転処理を施す回転手段(50~58, 66~72)、回転手段によって回転された被写界像を記録媒体(40)に記録する記録手段(38)、光軸回り方向における撮像面の回転を記録操作に応答して判別する判別手段(S33)、および回転手段の回転角度を判別手段の判別結果に応じて異なる角度に調整する調整手段(S35, S37)を備える。
【０００７】
好ましくは、撮像手段は被写界像を繰り返し出力し、記録手段は被写界像を繰り返し記録し、調整手段は記録手段が記録処理を実行する期間において共通の角度を維持する。
【０００８】
さらに好ましくは、回転手段には、撮像手段から出力された被写界像のうち切り出しエリア(CT1)に属する一部の被写界像を切り出す切り出し手段(50~58)、および切り出し手段によって切り出された被写界像を回転させる切り出し画像回転手段(66~72)を含められる。
【０００９】
さらに好ましくは、光軸直交方向における撮像面の動きを検出する検出手段(S25)、および検出手段によって検出された動きが補償される方向に切り出しエリアを移動させる移動手段(S27~S29)がさらに備えられる。
【００１０】
好ましくは、光軸回り方向における複数の回転角度にそれぞれ対応する複数の撮像モードのいずれか１つを選択する選択操作を受け付ける受付手段(34)がさらに備えられ、判別手段は選択操作によって選択された撮像モードを参照して判別処理を実行する。
【００１１】
さらに好ましくは、複数の撮像モードには右利きの撮影者向けの第１撮像モードと左利きの撮影者向けの第２撮像モードを含められ、調整手段は１８０°毎の角度調整を実行する。
【００１２】
好ましくは、調整手段によって調整される角度は光軸回り方向における撮像面の回転角度に相当する。
【００１３】
好ましくは、撮像手段から出力された被写界像を光軸回り方向における撮像面の回転に関わらず共通の態様で再現する再現手段(28, 30)がさらに備えられる。
【発明の効果】
【００１４】
この発明によれば、撮像手段は、被写界を捉える撮像面で生成された被写界像を出力する。回転手段は、記録操作に応答して撮像手段から出力された被写界像に光軸回り方向における回転処理を施す。記録手段は、回転手段によって回転された被写界像を記録媒体に記録する。判別手段は、光軸回り方向における撮像面の回転を記録操作に応答して判別する。調整手段は、回転手段の回転角度を判別手段の判別結果に応じて異なる角度に調整する。
【００１５】
したがって、記録操作に応答して生成された被写界像は、光軸回り方向における撮像面の回転状態に応じて異なる角度の回転処理を経て記録媒体に記録される。これによって、記録画像の視認性を向上させることができる。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の基本的構成を示すブロック図である。
【図２】この発明の一実施例の構成を示すブロック図である。
【図３】図２実施例に適用されるＳＤＲＡＭのマッピング状態の一例を示す図解図である。
【図４】ＳＤＲＡＭの生画像エリアにおける切り出しエリアの割り当て状態の一例を示す図解図である。
【図５】図２実施例に適用される後処理回路の構成を示すブロック図である。
【図６】（Ａ）はディジタルビデオカメラの撮影時の姿勢の一例を示す図解図であり、（Ｂ）はディジタルビデオカメラの撮影時の姿勢の他の一例を示す図解図である。
【図７】（Ａ）はイメージセンサから出力される撮影画像の一例を示す図解図であり、（Ｂ）は記録媒体に書き込まれる記録画像の一例を示す図解図であり、（Ｃ）ＬＣＤモニタに表示される表示画像の一例を示す図解図である。
【図８】（Ａ）はイメージセンサから出力される撮影画像の他の一例を示す図解図であり、（Ｂ）は記録媒体に書き込まれる記録画像の他の一例を示す図解図であり、（Ｃ）ＬＣＤモニタに表示される表示画像の他の一例を示す図解図である。
【図９】（Ａ）はＹＵＶ画像データが読み込まれる際の画素並び替え回路のレジスタの状態の遷移の一例を示す図解図であり、（Ｂ）は画素並び替え回路のレジスタから並び替え画像データが出力される状態の一例を示す図解図である。
【図１０】図２実施例に適用されるＣＰＵの動作の一部を示すフロー図である。
【図１１】図２実施例に適用されるＣＰＵの動作の他の一部を示すフロー図である。
【図１２】図２実施例に適用されるＣＰＵの動作のその他の一部を示すフロー図である。
【図１３】（Ａ）はイメージセンサから出力される撮影画像のその他の一例を示す図解図であり、（Ｂ）は記録媒体に書き込まれる記録画像のその他の一例を示す図解図であり、（Ｃ）は記録媒体に書き込まれる記録画像のさらにその他の一例を示す図解図である。
【図１４】（Ａ）はイメージセンサから出力される撮影画像のさらにその他の一例を示す図解図であり、（Ｂ）は記録媒体に書き込まれる記録画像のさらにその他の一例を示す図解図であり、（Ｃ）は記録媒体に書き込まれる記録画像のさらにその他の一例を示す図解図である。
【発明を実施するための形態】
【００１８】
以下、この発明の実施の形態を図面を参照しながら説明する。
［基本的構成］
【００１９】
図１を参照して、この発明の電子カメラは、基本的に次のように構成される。撮像手段１は、被写界を捉える撮像面で生成された被写界像を出力する。回転手段２は、記録操作に応答して撮像手段１から出力された被写界像に光軸回り方向における回転処理を施す。記録手段３は、回転手段２によって回転された被写界像を記録媒体に記録する。判別手段４は、光軸回り方向における撮像面の回転を記録操作に応答して判別する。調整手段５は、回転手段２の回転角度を判別手段４の判別結果に応じて異なる角度に調整する。
【００２０】
したがって、記録操作に応答して生成された被写界像は、光軸回り方向における撮像面の回転状態に応じて異なる角度の回転処理を経て記録媒体に記録される。これによって、記録画像の視認性を向上させることができる。
［実施例］
【００２１】
図２を参照して、この実施例のディジタルビデオカメラ１０は、ドライバ１８ａおよび１８ｂによってそれぞれ駆動されるフォーカスレンズ１２および絞りユニット１４を含む。被写界の光学像は、これらの部材を通してイメージセンサ１６の撮像面に照射される。なお、撮像面の有効画像エリアは、水平２５６０画素×垂直１６００画素の解像度を有する。
【００２２】
ディジタルビデオカメラ１０は、記憶装置としてＳＤＲＡＭ２４を有する。ディジタルビデオカメラ１０を構成する各部は、メモリ制御回路２２へ向けてアクセス要求を発行することにより、ＳＤＲＡＭ２４へのデータの書き込み又はＳＤＲＡＭ２４が格納するデータの読み出しを行う。アクセス要求には、リード（読み出し）又はライト（書き込み）の区分と目的のデータの先頭アドレスおよびサイズとが記述される。
画像データの読み出し要求の場合は、メモリ制御回路２２から要求元に承認信号が返送された後、アクセス要求に記述された先頭アドレスから連続した領域に記憶される指定サイズの画像データが読み出される。
画像データの書き込み要求の場合は、メモリ制御回路２２から要求元に承認信号が返送された後、指定サイズの画像データがメモリ制御回路２２に向けて出力される。そして、メモリ制御回路２２を介して、アクセス要求に記述された先頭アドレスから連続した領域に、出力された画像データが格納される。
【００２３】
電源が投入されると、ＣＰＵ３２は、撮像タスクの下で動画取り込み処理を実行するべく、ドライバ１８ｃを起動する。ドライバ１８ｃは、１／６０秒毎に発生する垂直同期信号Ｖｓｙｎｃに応答して、撮像面を露光し、撮像面で生成された電荷を順次走査態様で読み出す。イメージセンサ１６からは、被写界を表す生画像データが６０ｆｐｓのフレームレートで出力される。
【００２４】
前処理回路２０は、イメージセンサ１６からの生画像データにディジタルクランプ，画素欠陥補正，ゲイン制御などの処理を施す。このような前処理を施された生画像データは、メモリ制御回路２２を通してＳＤＲＡＭ２４の生画像エリア２４ａ（図３参照）に書き込まれる。
【００２５】
図４を参照して、生画像エリア２４ａには、切り出しエリアＣＴ１が割り当てられる。切り出しエリアＣＴ１は水平１９２０画素×垂直１０８０画素に相当する解像度（アスペクト比は１６：９）を有する。
【００２６】
後処理回路２６は、メモリ制御回路２２を通して生画像エリア２４ａにバーストアクセスし、切り出しエリアＣＴ１に対応する生画像データを順次走査態様で読み出す。読み出された生画像データには色分離，白バランス調整，ＹＵＶ変換，ズームなどの処理が施され、表示画像データが作成される。作成された表示画像データは、後処理回路２６から出力され、メモリ制御回路２２を通してＳＤＲＡＭ２４の表示画像エリア２４ｂ（図３参照）に書き込まれる。
【００２７】
ＬＣＤドライバ２８は、表示画像エリア２４ｂに格納された表示画像データを繰り返し読み出し、読み出された表示画像データをＬＣＤモニタ３０の解像度に適合するように縮小し、そして縮小された表示画像データに基づいてＬＣＤモニタ３０を駆動する。この結果、被写界を表すリアルタイム動画像（スルー画像）がモニタ画面に表示される。
【００２８】
前処理回路２０はまた、生画像データを簡易的にＹデータに変換し、変換されたＹデータをＣＰＵ３２に与える。ＣＰＵ３２は、撮像条件調整タスクの下でＹデータにＡＥ処理を施し、適正ＥＶ値を算出する。算出された適正ＥＶ値を定義する絞り量および露光時間はドライバ１８ｂおよび１８ｃにそれぞれ設定され、これによってスルー画像の明るさが適度に調整される。ＣＰＵ３２はまた、ＡＦ起動条件が満足されるときに、Ｙデータの高周波成分にＡＦ処理を施す。フォーカスレンズ１２はドライバ１８ａによって合焦点に配置され、これによってスルー画像の鮮鋭度が継続的に向上する。
【００２９】
ＣＰＵ３２はまた、光軸に直交する方向における撮像面の動きをＹデータに基づいて検出するべく、切り出し制御タスクの下で動き検出処理を実行する。ＣＰＵ３２は、検出された動きが撮像面のパン／チルト動作に相当するとき切り出しエリアＣＴ１の移動を中断し、検出された動きが撮像面の手振れに相当するとき手振れが補償されるように切り出しエリアＣＴ１を移動させる。これによって、手振れに起因するスルー画像の振動が抑制される。
【００３０】
キー入力装置３４に向けて記録開始操作が行われると、ＣＰＵ３２は、撮像タスクの下でＩ／Ｆ３８を通して記録媒体４０にアクセスし、ＭＰ４ファイルを記録媒体４０に新規に作成する（作成されたＭＰ４ファイルはオープンされる）。
【００３１】
ファイル作成＆オープン処理が完了すると、ＣＰＵ３２は、記録処理を開始するべく、後処理回路２６，Ｈ２６４コーデック３６およびＩ／Ｆ３８を撮像タスクの下で起動する。
【００３２】
後処理回路２６は、メモリ制御回路２２を通して生画像エリア２４ａにバーストアクセスし、切り出しエリアＣＴ１に対応する生画像データを順次走査態様で読み出す。読み出された生画像データには色分離，白バランス調整，ＹＵＶ変換、画素並び替えなどの処理が施され、記録画像データが作成される。作成された記録画像データは、後処理回路２６から出力され、メモリ制御回路２２を通してＳＤＲＡＭ２４の記録画像エリア２４ｃ（図３参照）に書き込まれる。
【００３３】
Ｈ２６４コーデック３６は、記録画像エリア２４ｃに格納された画像データをメモリ制御回路２２を通して読み出し、読み出された画像データをＭＰＥＧ−４  ＡＶＣ／Ｈ．２６４方式に従って圧縮し、そして圧縮画像データをメモリ制御回路２２を通して符号化画像エリア２４ｄ（図３参照）に書き込む。
【００３４】
Ｉ／Ｆ３８は、記録画像エリア２４ｄに格納された圧縮画像データをメモリ制御回路２２を通して読み出し、読み出された圧縮画像データを記録媒体４０に新規に作成されたＭＰ４ファイルに書き込む。
【００３５】
キー入力装置３４に向けて記録終了操作が行われると、ＣＰＵ３２は、記録処理を終了するべく後処理回路２６，Ｈ２６４コーデック３６およびＩ／Ｆ３８を停止する。ＣＰＵ３２は続いて、Ｉ／Ｆ３８を通して記録媒体４０にアクセスし、書き込み先のＭＰ４ファイルをクローズする。
後処理回路２６は、図５に示すように構成される。コントローラ５０は、ＳＲＡＭ５２に格納されたデータ量が閾値を下回る毎に、生画像データの読み出し要求をメモリ制御回路２２に向けて発行する。
【００３６】
色分離回路５４は、ＳＲＡＭ５２に格納された生画像データに色分離処理を施す。この結果、各画素がＲ，ＧおよびＢの全ての色情報を有するＲＧＢ画像データが生成される。白バランス調整回路５６は色分離回路５４から出力されたＲＧＢ画像データの白バランスを調整し、ＹＵＶ変換回路５８は白バランス調整回路５６から出力されたＲＧＢ画像データをＹＵＶ画像データに変換する。
【００３７】
ズーム回路６０は、ＹＵＶ変換回路５８から出力されたＹＵＶ画像データに縮小ズー
ムを施し、解像度（画素数）が低減された表示画像データを作成する。作成された表示画像データは、ＳＲＡＭ６４に書き込まれる。
【００３８】
コントローラ６２は、ＳＲＡＭ６４に格納されたデータ量が閾値に達する毎に書き込み要求をメモリ制御回路２２に向けて発行し、発行先から承認信号が返送されたときに既定量の表示画像データを、ＳＲＡＭ６４から読み出して出力する。
【００３９】
画素並び替え回路６６は、ＹＵＶ変換回路５８から出力されたＹＵＶ画像データに画素を並び替える処理を施し、生画像を回転させた画像に基づく並び替え画像データを作成する。また、作成した並び替え画像データを出力する。
セレクタ６８は、入力Ａ又は入力Ｂのいずれか一方の入力を、設定されている撮影モードに応じて選択する。入力Ａに対してはＹＵＶ変換回路５８からＹＵＶ画像データが出力され、入力Ｂに対しては画素並び替え回路６６から並び替え画像データが出力される。セレクタ６８によって選択されたデータは、記録画像データとしてＳＲＡＭ７２に書き込まれる。
【００４０】
コントローラ７０は、ＳＲＡＭ７２に格納されたデータ量が閾値に達する毎に書き込み要求をメモリ制御回路２２に向けて発行し、発行先から承認信号が返送されたときに既定量の記録画像データを、ＳＲＡＭ７２から読み出して出力する。
【００４１】
図６（Ａ）および図６（Ｂ）を参照して、ディジタルビデオカメラ１０は、開閉式のＬＣＤモニタ３０をビデオカメラ筺体ＣＢ１の左側に設置している。これは、右利きの撮影者が、利き手である右手でビデオカメラ本体を持って撮影した場合に、モニタを視認しやすくするためである。撮影者が右手でディジタルビデオカメラ１０を構えた場合は、図６（Ａ）のような姿勢で撮影が行われる。この場合は、図７（Ａ）の撮影画像に対して図７（Ｂ）の記録画像が作成される。つまり、撮影画像（図７（Ａ））、記録画像（図７（Ｂ））および表示画像（図７（Ｃ））は、解像度等が異なる点を除き、同じ画像となる。
【００４２】
一方、撮影者が左利きであるなど、撮影者が左手でディジタルビデオカメラ１０を構えた場合は、図６（Ｂ）のような姿勢で撮影が行われる。この場合、ディジタルビデオカメラ１０は上下逆さまの姿勢なので、撮影画像は、図８（Ａ）のように、図７（Ａ）を１８０度回転させたものとなる。表示画像も同様に、図８（Ｃ）のように、図７（Ｃ）を１８０度回転させたものとなる。ところが、記録画像については、撮影画像（図８（Ａ））をそのまま用いたとすると、撮影者の視点に基づいておらず、再生する際に非常に見づらいものとなってしまう。そこで、本発明に係るディジタルビデオカメラ１０は、この場合には、撮影画像を１８０°回転させることによって、撮影者の視点に基づいた記録画像（図８（Ｂ））を作成する。以下、その処理の詳細を説明する。
【００４３】
ディジタルビデオカメラ１０は、右利き撮影モード及び左利き撮影モードの２つの撮影モードを有しており、撮影者によるキー入力装置３４に向けての操作によって、いずれかの撮影モードが設定される。右利きの撮影者等、ディジタルビデオカメラ１０を正立姿勢にして構える場合は、撮影者は右利き撮影モードを選択する。左利きの撮影者等、ディジタルビデオカメラ１０を上下逆さまにして構える場合は、撮影者は左利き撮影モードを選択する。
ＳＤＲＡＭ２４の生画像エリア２４ａからは生画像データの先頭位置（左上位置）から末尾位置（右下位置）に向けて８画素ずつ読み出され、色分離，白バランス調整，ＹＵＶ変換を施される。セレクタ６８は、撮影モードが右利き撮影モードに設定されている場合、入力Ａを選択する（図５参照）。よって、ＹＵＶ変換回路５８から出力されたＹＵＶ画像データが入力される。
ＳＲＡＭ７２には、記録画像データを構成する画素として、生画像エリア２４ａからの読み出し時と同様に左上位置から右下位置に向けて、８画素ずつ書き込まれる。作成された記録画像データは、前述のように圧縮処理され、記録媒体４０のＭＰ４ファイルに書き込まれる。
図９（Ａ）を参照して、画素並び替え回路６６は、ＹＵＶ変換回路５８から出力されたＹＵＶ画像データを８画素ずつ自らの８０ａないし８０ｈに読み込む。そして、図９（Ｂ）を参照して、新しく読み込んだ画素から順に、並び替え画像データとしてセレクタ６８に対して出力する。最初に読み込まれた画素は最後に出力される。すなわち、ＬＩＦＯ（Ｌａｓｔ  Ｉｎ  Ｆｉｒｓｔ  Ｏｕｔ）方式で出力する。
セレクタ６８は、撮影モードが左利き撮影モードに設定されている場合、入力Ｂを選択する（図５参照）。よって、セレクタ６８によって、画素並び替え回路６６から出力された並び替え画像データが選択される。
【００４４】
コントローラ７０は、セレクタ６８によって入力Ｂが選択された場合は、生画像エリア２４ａからの読み出し時とは走査開始位置を変更してＳＲＡＭ７２に書き込むように、制御する。最初に画素並び替え回路６６から出力された８画素は、撮影画像において左上位置から走査されたものであるが、これを画像の右下から数えて左に８番目の位置から走査するように変更する。次に読み込まれた８画素については、画像の右下から数えて左に１６番目の位置から走査するように変更する。以降、８画素毎に、画像の右下から数えて左に８×Ｎ（Ｎ：１，２，３，…）番目の位置から走査するように、それぞれ変更する。
画像最下列の書き込みが完了すると、下から二番目の列の書き込みが同様に右側から開始される。以降、最上列の書き込みまで同様に行われる。
作成された記録画像データは、前述のように圧縮処理され、記録媒体４０のＭＰ４ファイルに書き込まれる。
ＣＰＵ３６は、図１０に示す撮像タスク，図１１に示す切り出し制御制御タスクおよび図１２に示す設定制御タスクを含む複数のタスクを並列的に処理する。なお、これらのタスクに対応する制御プログラムは、フラッシュメモリ４２に記憶される。
【００４５】
図１０を参照して、ステップＳ１では動画取り込み処理を実行する。これによって、スルー画像がＬＣＤモニタ３０に表示される。ステップＳ３では記録開始操作が行われたか否かを繰り返し判別し、判別結果がＮＯからＹＥＳに更新されるとステップＳ５に進む。ステップＳ５では、Ｉ／Ｆ３８を通して記録媒体４０にアクセスし、オープン状態のＭＰ４ファイルを記録媒体４０に新規に作成する。ステップＳ７では、記録処理を開始するべく、後処理回路２６，Ｈ２６４コーデック３６およびＩ／Ｆ３８を起動する。
【００４６】
後処理回路２６は、切り出しエリアＣＴ１に属する一部の生画像データをメモリ制御回路２２を通して読み出し、読み出された生画像データに基づいて、色分離，白バランス調整，ＹＵＶ変換，画素並び替えなどの処理を施し、記録画像データを作成する。そして作成した画像データをメモリ制御回路２２を通して記録画像エリア２４ｃに書き込む。
【００４７】
Ｈ２６４コーデック３６は、記録画像エリア２４ｃに格納された画像データをメモリ制御回路２２を通して読み出し、読み出された画像データをＭＰＥＧ−４  ＡＶＣ／Ｈ．２６４方式に従って圧縮し、そして圧縮画像データをメモリ制御回路２２を通して符号化画像エリア２４ｄに書き込む。
【００４８】
Ｉ／Ｆ３８は、記録画像エリア２４ｄに格納された圧縮画像データをメモリ制御回路２２を通して読み出し、読み出された圧縮画像データをステップＳ５で作成されたＭＰ４ファイルに書き込む。
【００４９】
ステップＳ９では、記録終了操作が行われたか否かを判別する。判別結果がＮＯからＹＥＳに更新されるとステップＳ１１に進み、記録処理を終了するべく後処理回路２６，Ｈ２６４コーデック３６およびＩ／Ｆ３８を停止する。ステップＳ１３ではＩ／Ｆ３８を通して記録媒体４０にアクセスし、オープン状態にあるＭＰ４ファイルをクローズする。ファイルクローズが完了するとステップＳ３に戻る。
【００５０】
図１１を参照して、ステップＳ２１では切り出しエリアＣＴ１の配置を初期化し、ステップＳ２３では垂直同期信号Ｖｓｙｎｃが発生したか否かを判別する。判別結果がＮＯからＹＥＳに更新されると、Ｙデータを参照した動き検出処理をステップＳ２５で実行する。ステップＳ２７では動き検出処理によって検出された撮像面の動きが手振れに相当するか否かを判別し、判別結果がＮＯであればそのままステップＳ２３に戻る。一方、ＹＥＳであれば、ステップＳ２９で検出された撮像面の動きが補償されるように切り出しエリアＣＴ１を移動させ、ステップＳ２３に戻る。
【００５１】
図１２を参照して、ステップＳ３１では垂直同期信号Ｖｓｙｎｃが発生したか否かを判別する。判別結果がＮＯからＹＥＳに更新されると、ステップＳ３３では右利き撮影モードに設定されているか否かを判別する。判別結果がＹＥＳであればセレクタ６８は入力Ａを選択し、ステップＳ３１に戻り、判別結果がＮＯであればセレクタ６８入力Ｂを選択し、ステップＳ３１に戻る。
【００５２】
以上の説明から分かるように、イメージセンサ１６は、被写界を捉える撮像面で生成された被写界像を出力する。後処理回路２６は、記録操作に応答してイメージセンサ１６から出力された被写界像に光軸回り方向における回転処理を施す。Ｉ／Ｆ３８は、後処理回路２６によって回転された被写界像を記録媒体４０に記録する。ＣＰＵ３２は、光軸回り方向における撮像面の回転を記録操作に応答して判別する。ＣＰＵ３２はまた、後処理回路２６の回転角度を判別結果に応じて異なる角度に調整する。
【００５３】
したがって、記録操作に応答して生成された被写界像は、光軸回り方向における撮像面の回転状態に応じて異なる角度の回転処理を経て記録媒体に記録される。これによって、記録画像の視認性を向上させることができる。
【００５４】
なお、この実施例では、ディジタルビデオカメラ１０を逆さまに構えて撮影された撮影画像を１８０°回転させて記録画像としている。しかし、ディジタルビデオカメラ１０を任意の角度に傾けて撮影する場合にも、本発明を適用することができる。
例えば、撮影者がディジタルビデオカメラ１０を正立姿勢から光軸回り方向に右に９０°傾けて構えた場合は、撮影画像が図１３（Ａ）となる。この場合、撮影画像を右に９０°回転させて、図１３（Ｂ）の記録画像が作成される。記録画像は、切り出しエリアＣＴ１に対応する画像を回転させて作成されるので、アスペクト比を維持するために画素が不足し、画素が足りない両横端がブラックアウト処理される。又は、ブラックアウト部分を生じさせたくない等の場合は、線形補間等の処理を施すことによってズームインを行い、図１３（Ｃ）の画像を作成してもよい。
また、左利きの撮影者等がディジタルビデオカメラ１０を正立姿勢から光軸回り方向に右に１３５°傾けて構えた場合は、撮影画像が図１４（Ａ）となる。同様に、切り出しエリアＣＴ１に対応する画像を回転させて、図１４（Ｂ）の記録画像が作成される。又は、ズームイン処理によって図１４（Ｃ）の画像を作成してもよい。
【００５５】
また、記録媒体４０が、ディジタルビデオカメラ１０の内部メモリの場合であっても、外部メモリの場合であっても、いずれの場合にも本発明を適用することができる。さらに、記録媒体４０がディジタルビデオカメラ１０とは異なる装置に設置されている場合にも、本発明を適用することができる。この場合、有線又は無線通信により、ディジタルビデオカメラ１０から符号化画像データ等を送信するようにすればよい。
【００５６】
また、この実施例では、ディジタルビデオカメラを用いて説明したが、本発明は、ディジタルスチルカメラにも適用することができる。
【符号の説明】
【００５７】
１０  …ディジタルビデオカメラ
１６  …イメージセンサ
２０  …前処理回路
２６  …後処理回路
３２  …ＣＰＵ
３６  …Ｈ２６４コーデック
４０  …記録媒体
【図１】
2011188225.tif 000003
【図２】
2011188225.tif 000004
【図３】
2011188225.tif 000005
【図４】
2011188225.tif 000006
【図５】
2011188225.tif 000007
【図６】
2011188225.tif 000008
【図７】
2011188225.tif 000009
【図８】
2011188225.tif 000010
【図９】
2011188225.tif 000011
【図１０】
2011188225.tif 000012
【図１１】
2011188225.tif 000013
【図１２】
2011188225.tif 000014
【図１３】
2011188225.tif 000015
【図１４】
2011188225.tif 000016